(57)【要約】【課題】線香の燻煙を効率良く拡散させ、蚊の駆除効果を増大させたり、芳香を広範囲に漂わせたりすることができる線香燻煙器を提供する。【解決手段】支持台１に支持された線香Ｓを上下開放の筒状体２で包囲すると共に、前記支持台１、または筒状体２の下部に空気導入口３を設けたものとしている。さらに、支持台１に支持された線香Ｓを上下開放の筒状体２の下方に配置する共に、前記支持台１、または筒状体２の下部に空気導入口３を設けたものとすることもできる。【選択図】        図１
2004229545.tif 000002
【特許請求の範囲】
【請求項１】
支持台（１）に支持された線香（Ｓ）を上下開放の筒状体（２）で包囲すると共に、前記支持台（１）、または筒状体（２）の下部に空気導入口（３）を設けたことを特徴とする線香燻煙器。
【請求項２】
支持台（１）に支持された線香（Ｓ）を上下開放の筒状体（２）の下方に配置する共に、前記支持台（１）、または筒状体（２）の下部に空気導入口（３）を設けたことを特徴とする線香燻煙器。
【請求項３】
前記線香（Ｓ）を棒状の線香、筒状の線香または渦巻き状の線香の何れかとしたことを特徴とする請求項１または２記載の線香燻煙器。
【請求項４】
前記筒状体（２）を支持台（１）に突設したものとしたことを特徴とする請求項１または２記載の線香燻煙器。
【請求項５】
前記筒状体（２）を上下方向に伸縮自在構造を有したものとしたことを特徴とする請求項１または２記載の線香燻煙器。
【発明の詳細な説明】
【０００１】
【発明の属する技術分野】
この発明は、屋内はもとより屋外でも使用することのできる線香燻煙器に関するものである。
【０００２】
【従来の技術】
従来、この種の線香燻煙器には、図１３に示したように、金属製の薄板より打ち抜かれた台板２１の周囲に、内側に折り曲げてなる複数の立設部２２が一体的に設けられ、前記台板２１の裏面と台板２１を載置する載置台の上面である載置面との間に所要の空間が設けられたものが存在する（特許文献１参照）。
【０００３】
このような線香燻煙器は、載置台が平面でなくとも安定して設置することができ、また燃焼した線香の落灰等により台板が加熱した場合でも、この熱を外部放出することができるため、載置台を加熱するという心配もないという効果を有する。
【０００４】
また、従来この種の線香燻煙器には、図１４に示したように、無機繊維からなり、その表面が多数の起毛状になっている無機繊維により粗面化されている断熱保温材３１を、その粗面化した表面が上面となるように配置させて容器３２の内底面３２ａに固着させ、この断熱保温材３１の上に渦巻き状の線香Ｓを載置させるようにしたものが存在する（特許文献２参照）。
【０００５】
このような線香燻煙器は、線香の燻煙時間がより安定して長くなり、また立ち消えし難いものとなるという効果を有する。
【０００６】
【特許文献１】
特開平８−３０８４５７号公報（第２頁、図１）
【特許文献２】
特開平１０−３１０５０２号公報（第２頁、図１）
【０００７】
【発明が解決しようとする課題】
しかしながら、上記従来の線香燻煙器では、線香の燻煙を効率良く拡散させることについては、全く考慮されていなかった。したがって、火災等の心配がなく、線香を安定した状態で燻煙できるものの、燻煙を効率良く拡散させることができないため、線香が蚊取線香の場合には、蚊の駆除効果が効率良く発揮できないという課題を有し、線香がお香の場合には、その芳香を効率良く拡散できないという課題を有していた。
【０００８】
そこで、この発明は、上記従来の課題を解決するものであり、線香の燻煙を効率良く拡散させ、蚊の駆除効果を増大させたり、芳香を広範囲に漂わせたりすることができる線香燻煙器を提供することを目的としてなされたものである。
【０００９】
【課題を解決するための手段】
そのため、この発明の線香燻煙器は、支持台１に支持された線香Ｓを上下開放の筒状体２で包囲すると共に、前記支持台１、または筒状体２の下部に空気導入口３を設けたものとしている。
【００１０】
さらに、この発明の線香燻煙器は、支持台１に支持された線香Ｓを上下開放の筒状体２の下方に配置する共に、前記支持台１、または筒状体２の下部に空気導入口３を設けたものとしている。
【００１１】
そして、この発明の線香燻煙器は、前記線香Ｓを棒状の線香、筒状の線香または渦巻き状の線香の何れかとすることができる。
【００１２】
また、この発明の線香燻煙器は、前記筒状体２を支持台１に突設したものとすることができる。
【００１３】
さらにまた、この発明の線香燻煙器は、前記筒状体２を上下方向に伸縮自在構造を有したものとすることができる。
【００１４】
【発明の実施の形態】
以下、この発明の線香燻煙器を実施の形態に基づいて詳細に説明する。
【００１５】
図１〜２に示したこの発明の線香燻煙器は、棒状の線香の燻煙に用いられ、図３〜４に示したこの発明の線香燻煙器は、筒状の線香の燻煙に用いられ、図５〜６、図７〜８、図９〜１０、図１１〜１２に示したこの発明の線香燻煙器は、それぞれ渦巻き状の線香の燻煙に用いられるものである。
【００１６】
図１〜２、図３〜４、図７〜８、図９〜１０に示したこの発明の線香燻煙器は、支持台１に支持された線香Ｓの周囲を上下開放の筒状体２で包囲すると共に、前記支持台１、または筒状体２の下部に空気導入口３を設けたものとしている。
図５〜６、図１１〜１２に示したこの発明の線香燻煙器は、支持台１に支持された線香Ｓを上下開放の筒状体２の下方に配置する共に、前記支持台１、または筒状体２の下部に空気導入口３を設けたものとしている。
【００１７】
線香Ｓは、殺虫、害虫忌避、殺菌、お香、芳香、消臭に使われるものなど、その種類は任意である。線香Ｓの径も細いもの、太いものなど任意であり、また線香Ｓは束ねたまま使用してもよい。
【００１８】
筒状体２は、線香Ｓの上部が露出するように、その下端もしくは中途で着脱自在とした構造にしてもよい。
【００１９】
空気導入口３は、線香の着火口、降灰の廃棄口として利用できるような適当な大きさを有したものとすることができる。また、この空気導入口３は、開閉式にして空気導入量を調整可能な構造にしてもよい。
【００２０】
図１、２に示すこの発明の線香燻煙器では、支持台１は、蓋体４を着脱自在に設けた皿状の底体５に設置した、無機繊維などからなる不燃性マット６の中央部に支持針７を突設したものとしており、この支持針７を棒状の線香Ｓの下端差込孔に差し込んで、この線香Ｓを垂直に支持するようにしている。なお、支持針７に代えて、線香Ｓの下部周囲を三片の支持片（図示せず）で起立可能に支持してもよい。このようにすれば、線香Ｓの下端に差込孔を設けなくてもよいものとなる。筒状体２は、前記支持台１の蓋体４の上面４ａの略中央部に突設したものとしている。空気導入口３は、前記支持台１の蓋体４の側周面４ｂの適宜位置に複数設けたものとしている。
【００２１】
図３、４に示すこの発明の線香燻煙器では、支持台１は、蓋体４を着脱自在に設けた皿状の底体５に複数の突起８を設けたものとしており、これら突起８にそれぞれ筒状の線香Ｓの下部を嵌め込んで、この線香Ｓを垂直に支持するようにしている。筒状体２は、前記支持台１の蓋体４の上面４ａに複数突設したものとしている。空気導入口３は、前記支持台１の蓋体４の側周面４ｂの適宜位置に複数設けたものとしている。
【００２２】
図５、６に示すこの発明の線香燻煙器では、支持台１は、一側面を開口した断面略四角形状の箱体９に、内底面に不燃性マット６を敷いて上面を開口した断面略四角形状の箱体１０を前記箱体９の開口から差し込み、引き出し自在としたものとしており、不燃性マット６の上に渦巻き状の線香Ｓを載せることにより、この線香Ｓを水平に支持するようにしている。筒状体２は、前記支持台１の箱体９の上面９ａに複数突設したものとしている。空気導入口３は、前記支持台１の箱体９の上面９ａの角部寄りに複数設けたものとしている。なお、箱体１０には指掛部１０ａを設けたものとして、箱体９から引き出すときに、引き出し易くしている。これにより、線香Ｓの灰の廃棄が容易になり、線香Ｓの着火も簡単に行うことができる。
【００２３】
図７、８に示すこの発明の線香燻煙器では、支持台１は、金属製の薄板より打ち抜かれた台板１１の略中央部に、先端を二股にした舌片１２を設け、この台板１１を皿状の底体５の略中央部に載置して設けたものとしており、舌片１２の二股部に渦巻き状の線香Ｓを水平に支持するようにしている。筒状体２は、前記支持台１の底体５の側周面５ａに嵌脱自在なものとしている。また、この筒状体２は、幼児や子供などが手を差し込んで火を消したりしないように、上方開放部をネット１３で覆ったものとしている。空気導入口３は、前記筒状体２の下部の周囲に複数設けたものとしている。
【００２４】
図９、１０に示すこの発明の線香燻煙器では、支持台１は、金属製の薄板より打ち抜かれた台板１１の略中央部に、先端を二股にした舌片１２を設け、この台板１１を皿状の底体５の略中央部に載置して設けたものとしており、舌片１２の二股部に渦巻き状の線香Ｓを水平に支持するようにしている。筒状体２は、前記支持台１の底体５の側周面５ａに嵌脱自在なものとしている。また、この筒状体２は、幼児や子供などが手を差し込んで火を消したりしないように、上方開放部を狭めたものとしている。空気導入口３は、前記筒状体２の下部の周囲に複数設けたものとしている。
【００２５】
図１１、１２に示すこの発明の線香燻煙器では、支持台１は、金属製の薄板より打ち抜かれた台板１１の略中央部に、先端を二股にした舌片１２を設け、この台板１１を、蓋体４を着脱自在に設けた皿状の底体５の略中央部に載置して設けたものとしており、舌片１２の二股部に渦巻き状の線香Ｓを水平に支持するようにしている。筒状体２は、前記支持台１の蓋体４の上面４ａの略中央部に突設したものとしている。また、この筒状体２は、使用しないときなどに嵩を低くしておくため、図示したように、徐々に筒径を大きくした複数の筒構成体２ａを順に外側へ重ね合わせていくなどして上下方向に伸縮自在構造を有したものとしてもよい。空気導入口３は、前記支持台２の蓋体４の側周面４ｂから底体５の側周面５ａを連通するようにして複数設けたものとしている。
【００２６】
以上のように構成したこの発明の線香燻煙器は、次のようにして使用することができる。
【００２７】
先ず、図１、２に示したこの発明の線香燻煙器では、底体５から蓋体４を外し、支持針７に棒状の線香Ｓの下部を差し込んで、この線香Ｓを垂直に支持する。そして、前記線香Ｓの上部に、マッチやライターなどで火をつけ、この線香Ｓの周囲が筒状体２に包囲されるようにして、底体５に蓋体４を被せる。また、前記線香を燻煙し終われば、再び底体５から蓋体４を外し、新しい線香に取り替えればよい。
【００２８】
図３、４に示したこの発明の線香燻煙器では、底体５から蓋体４を外し、突起８に棒状の線香Ｓの下部を嵌め込んで、この線香Ｓを垂直に支持する。そして、前記線香Ｓの上部に、マッチやライターなどで火をつけ、この線香Ｓの周囲が筒状体２に包囲されるようにして、底体５に蓋体４を被せる。また、前記線香を燻煙し終われば、再び底体５から蓋体４を外し、新しい線香に取り替えればよい。図５、６に示したこの発明の線香燻煙器では、箱体９から箱体１０を引き出し、不燃性マット６の上に渦巻き状の線香Ｓを載せ、この線香Ｓを水平に支持する。そして、前記線香Ｓの巻端に、マッチやライターなどで火をつけ、箱体９に箱体１０を差し込んで、線香Ｓが筒状体２の下方に配置されるようにする。また、前記線香を燻煙し終われば、再び箱体９から箱体１０を引き出し、新しい線香に取り替えればよい。
【００２９】
図７、８または図９、１０に示したこの発明の線香燻煙器では、底体５の側周面５ａから筒状体２を外し、舌片５の二股部に渦巻き状の線香Ｓを水平に支持する。そして、前記線香Ｓの巻端に、マッチやライターなどで火をつけ、この線香Ｓの周囲が筒状体２に包囲されるようにして、底体５に筒状体２を被せる。また、前記線香を燻煙し終われば、再び底体５から筒状体２を外し、新しい線香に取り替えればよい。
【００３０】
図１１、１２に示したこの発明の線香燻煙器では、底体５から蓋体４を外し、舌片５の二股部に渦巻き状の線香Ｓを水平に支持する。そして、前記線香Ｓの巻端に、マッチやライターなどで火をつけ、この線香Ｓが筒状体２の下方に配置されるようにして、底体５に蓋体４を被せる。また、前記線香を燻煙し終われば、再び底体５から蓋体４を外し、新しい線香に取り替えればよい。
【００３１】
この発明の線香燻煙器は、上記したような使用状態において、筒状体２の下部と上部とで温度差が生じ、筒状体２の内部で対流が起こり、空気導入口３から空気が導入され、この空気は線香Ｓの燻煙と混ざり合って筒状体２の上方開放部から放出される。したがって、線香Ｓの燻煙が効率良く拡散されることになる。
【００３２】
さらに、この発明の線香燻煙器は、屋内はもとより屋外で使用する場合に、これらの場所で横風が発生したときにも、筒状体２がその横風の遮蔽体となり、線香が立ち消えすることがなくなり便利である。
【００３３】
【発明の効果】
この発明の線香燻煙器は、以上に述べたように構成されているので、線香の燻煙を効率良く拡散させ、蚊の駆除効果を増大させたり、芳香を広範囲に漂わせたりすることができるものとなった。
【図面の簡単な説明】
【図１】この発明の線香燻煙器の一実施形態を示す一部断面斜視図である。
【図２】図１に示すこの発明の線香燻煙器の縦断面図である。
【図３】この発明の線香燻煙器の他実施形態を示す縦断面図である。
【図４】図３に示すこの発明の線香燻煙器の平面図である。
【図５】この発明の線香燻煙器のさらに他の実施形態を示す縦断面図である。
【図６】図５に示すこの発明の線香燻煙器の平面図である。
【図７】この発明の線香燻煙器のさらに他の実施形態を示す斜視図である。
【図８】図７に示すこの発明の線香燻煙器の縦断面図である。
【図９】この発明の線香燻煙器のさらに他の実施形態を示す斜視図である。
【図１０】図９に示すこの発明の線香燻煙器の縦断面図である。
【図１１】この発明の線香燻煙器のさらに他の実施形態を示す縦断面図である。
【図１２】図１１に示すこの発明の線香燻煙器の筒状体を縮小させた状態の縦断面図である。
【図１３】従来の線香燻煙器の一例を示す斜視図である。
【図１４】従来の線香燻煙器の他の例を示す断面図である。
【符号の説明】
１  支持台
２  筒状体
３  空気導入口
Ｓ  線香
【図１】
2004229545.tif 000003
【図２】
2004229545.tif 000004
【図３】
2004229545.tif 000005
【図４】
2004229545.tif 000006
【図５】
2004229545.tif 000007
【図６】
2004229545.tif 000008
【図７】
2004229545.tif 000009
【図８】
2004229545.tif 000010
【図９】
2004229545.tif 000011
【図１０】
2004229545.tif 000012
【図１１】
2004229545.tif 000013
【図１２】
2004229545.tif 000014
【図１３】
2004229545.tif 000015
【図１４】
2004229545.tif 000016